(57)【要約】【課題】通常のカラー表示の時に使用しない光源を持つ必要はないようにし、無駄を解消する。【解決手段】液晶パネル２１と、その背面に配された光源とよりなり、光源を赤色発光ダイオード２２と、赤外遮断フィルタ２５で囲まれた緑色発光ダイオード２３と、青色発光ダイオード２４とによって構成する。通常は赤色発光ダイオード２２、緑色発光ダイオード２３及び青色発光ダイオード２４を発光させることによりカラー表示をすることができ、赤色発光ダイオード２２及び青色発光ダイオード２４を消灯させ、緑色発光ダイオード２３のみ発光させることでＮＶＩＳ対応とすることができる。【選択図】図１
2011221206.tif 000002
【特許請求の範囲】
【請求項１】
液晶パネルと、その背面に配された光源とよりなり、
前記光源は赤色発光ダイオードと、赤外遮断フィルタで囲まれた緑色発光ダイオードと、青色発光ダイオードとによって構成されていることを特徴とするＮＶＩＳ対応液晶表示装置。
【請求項２】
請求項１記載のＮＶＩＳ対応液晶表示装置において、
前記緑色発光ダイオードとして、ピーク波長が５３０ｎｍから５６０ｎｍの範囲にある緑色発光ダイオードを用いることを特徴とするＮＶＩＳ対応液晶表示装置。
【請求項３】
請求項１又は２記載のＮＶＩＳ対応液晶表示装置において、
前記赤外遮断フィルタは６５０ｎｍから９３０ｎｍの波長域の透過率が0.05％以下とされていることを特徴とするＮＶＩＳ対応液晶表示装置。
【発明の詳細な説明】
【技術分野】
【０００１】
この発明は、通常はカラー表示をさせることができ、さらにＮＶＧ（Night vision goggle）を通して表示を見ることもできるようにされたＮＶＩＳ（Night vision imaging system）対応液晶表示装置に関する。
【背景技術】
【０００２】
図２はこの種の液晶表示装置の従来例として特許文献１に記載されている構成を示したものである。
【０００３】
カラー液晶パネル１１の背面には通常用光源１２が配され、さらにＮＶＧ用光源１３が配されている。通常用光源１２には白色蛍光灯が用いられ、ＮＶＧ用光源１３にはグリーン蛍光管が用いられている。グリーン蛍光管よりなるＮＶＧ用光源１３から出射される赤・赤外光成分を遮断するように、ＮＶＧ用光源１３の周囲には、赤・赤外遮断グリーンフィルタ１４が設けられている。
【０００４】
通常用光源１２としてこの例では３本の白色蛍光灯が等間隔で配列され、その間にＮＶＧ用光源１３が１本ずつ、計２本配列されている。これら通常用光源１２及びＮＶＧ用光源１３は筐体１５内に保持されており、通常用光源１２、ＮＶＧ用光源１３からの光は拡散板１６を介してカラー液晶パネル１１に入射されるものとなっている。
【０００５】
この構成ではＮＶＧを使用しないで見る場合は通常用光源１２のみを点灯させる。これにより、通常のカラー表示として見ることができる。一方、ＮＶＧを使用して見る場合はＮＶＧ用光源１３のみを点灯する。この時、ＮＶＧ用光源１３から出射される光のうち、赤及び赤外光成分は赤・赤外遮断グリーンフィルタ１４で遮断されて純粋の緑光成分のみが拡散板１６を介してカラー液晶パネル１１に入射される。これにより、赤・赤外光がＮＶＧに入射する恐れはなく、赤・赤外光の入射によって例えばＮＶＧが破損したり、強すぎる赤あるいは赤外光が目に入射する恐れがないものとなっている。
【先行技術文献】
【特許文献】
【０００６】
【特許文献１】特開平６−１７５６０１号公報
【発明の概要】
【発明が解決しようとする課題】
【０００７】
しかるに、上述したような構成ではＮＶＧ用光源１３を通常用光源１２とは別に持っており、つまり通常のカラー表示の時には使用しないＮＶＧ用光源１３を必要とする構成のため、その点で無駄のある構成となっていた。
【０００８】
この発明の目的はこの問題に鑑み、通常のカラー表示の時に使用しない光源を持つ必要はないようにし、従来のような無駄を解消したＮＶＩＳ対応液晶表示装置を提供することにある。
【課題を解決するための手段】
【０００９】
請求項１の発明によれば、ＮＶＩＳ対応液晶表示装置は液晶パネルと、その背面に配された光源とよりなり、光源は赤色発光ダイオードと、赤外遮断フィルタで囲まれた緑色発光ダイオードと、青色発光ダイオードとによって構成される。
【００１０】
請求項２の発明では請求項１の発明において、緑色発光ダイオードとしてピーク波長が５３０ｎｍから５６０ｎｍの範囲にある緑色発光ダイオードを用いる。
【００１１】
請求項３の発明では請求項１又は２の発明において、赤外遮断フィルタは６５０ｎｍから９３０ｎｍの波長域の透過率が0.05％以下とされる。
【発明の効果】
【００１２】
この発明によれば、通常は赤色発光ダイオード、緑色発光ダイオード及び青色発光ダイオードを発光させることによりカラー表示をすることができ、一方、赤色発光ダイオード及び青色発光ダイオードを消灯させ、緑色発光ダイオードのみ発光させることでＮＶＩＳ対応とすることができる。
【００１３】
従って、従来のようにＮＶＩＳ対応にするだけのために、カラー表示の時には使用しない光源を持つ必要はなく、その点で無駄を省くことができる。
【図面の簡単な説明】
【００１４】
【図１】この発明によるＮＶＩＳ対応液晶表示装置の一実施例の構成を模式的に示す断面図。
【図２】従来のＮＶＩＳ対応液晶表示装置を示す図。
【発明を実施するための形態】
【００１５】
この発明の実施形態を図面を参照して実施例により説明する。
【００１６】
図１はこの発明によるＮＶＩＳ対応液晶表示装置の一実施例の構成を示したものであり、この例では液晶パネル２１の背面に配される光源は赤色発光ダイオード２２と緑色発光ダイオード２３と青色発光ダイオード２４とによって構成されている。なお、図１では模式的に示しているが、これら赤色発光ダイオード２２、緑色発光ダイオード２３及び青色発光ダイオード２４は所定数、所定のピッチで配列される。
【００１７】
緑色発光ダイオード２３には図１に示したように赤外遮断フィルタ２５が設けられており、この赤外遮断フィルタ２５によって緑色発光ダイオード２３から出射される赤外光成分が遮断される。
【００１８】
赤外遮断フィルタ２５は詳細図示を省略しているが、ガラスもしくは樹脂製の基板に赤外波長の光を透過させない所定の膜が成膜されて形成される。なお、赤外遮断フィルタ２５はこの例では枠状をなす支持体２６によって支持されて配置されている。支持体２６は金属もしくは樹脂製とされ、遮光性を有するものとされる。
【００１９】
赤色発光ダイオード２２、赤外遮断フィルタ２５で囲まれた緑色発光ダイオード２３及び青色発光ダイオード２４は筐体２７内に設置されている。筐体２７は金属もしくは樹脂製とされる。
【００２０】
拡散板２８は赤色発光ダイオード２２、緑色発光ダイオード２３、青色発光ダイオード２４から出射された光を拡散し、一様な面発光にするためのもので、赤色発光ダイオード２２、緑色発光ダイオード２３、青色発光ダイオード２４から出射された光は拡散板２８を介して液晶パネル２１に入射される。
【００２１】
上記のような構成とされたＮＶＩＳ対応液晶表示装置においては、通常は赤色発光ダイオード２２、緑色発光ダイオード２３及び青色発光ダイオード２４を発光させることによってカラー表示をさせることができる。
【００２２】
これに対し、赤色発光ダイオード２２及び青色発光ダイオード２４を消灯させ、赤外遮断フィルタ２５で囲まれた緑色発光ダイオード２３のみ発光させることでＮＶＩＳ対応とすることができる。従って、この例では通常のカラー表示の時に使用しない光源を持つ必要はなく、その点で図２に示した従来例のような無駄を解消することができる。
【００２３】
以下、具体的数値をもとに説明する。
【００２４】
緑色発光ダイオード２３としてピーク波長５５５ｎｍの緑色発光ダイオードを使用し、赤外遮断フィルタ２５として３８０〜６５０ｎｍの波長域の透過率が８０％、６５０ｎｍ〜９３０ｎｍの波長域の透過率が0.05％の赤外遮断フィルタを使用した。
【００２５】
この場合、赤外遮断フィルタ２５を通した緑色発光ダイオード２３の輝度は約８０％の高効率を維持することができるため、カラーモード（カラー表示）において十分に使用することができる。一方、ＮＶＩＳモード（ＮＶＩＳ対応）においては、例えば下記に示すような米軍規格があるが、ＮＲｂは1.2×１０−１０となり、下記米軍規格を満足することができた。
【００２６】
＜米軍規格＞
ＭＩＬ−Ｌ−８５７６２Ａ
クラス：ＣＬＡＳＳ  Ｂ
コンポーネント：Electronic and electro-optical displays（Monochromatic）に
おけるNVIS RADIANCE（NRｂ）規格
… 1.6×１０−１０以下
【００２７】
なお、上記ＮＲｂ規格を満足する上で、緑色発光ダイオード２３はピーク波長が５３０ｎｍ〜５６０ｎｍのものを用いるのが好ましく、さらに赤外遮断フィルタ２５は６５０ｎｍ〜９３０ｎｍの波長域の透過率が0.05％以下のものを用いるのが好ましい。
【００２８】
また、図１における液晶パネル２１はカラーフィルタを具備するカラー液晶パネルに限らず、例えばカラーフィルタを用いないフィールドシーケンシャル（ＦＳ）方式の液晶パネルであってもよい。
【符号の説明】
【００２９】
２１  液晶パネル                      ２２  赤色発光ダイオード
２３  緑色発光ダイオード              ２４  青色発光ダイオード
２５  赤外遮断フィルタ                ２６  支持体
２７  筐体                            ２８  拡散板
【図１】
2011221206.tif 000003
【図２】
2011221206.tif 000004